(57)【特許請求の範囲】
【請求項１】
収納凹部内に収納される収納位置から、収納凹部から突出してロールペーパーを支持する使用位置に亘り回動可能な支持アームを備えたロールペーパーホルダーにおいて、前記支持アームの先端には、前記収納位置に保持させるための突起または孔が形成されているとともに、前記収納凹部の上壁面には、前記支持アームの突起または孔が係合される孔または突起が形成されて構成され、前記収納凹部の下部の左側板及び右側板の内側には、芯無しロールペーパーに挿通される軸棒の端部が係入される軸棒用孔が形成されていることを特徴とするロールペーパーホルダー。
【請求項２】
前記収納位置に保持されている前記支持アームを前記使用位置に戻すための、工具掛部あるいはつまみ，押ボタン等が設けられていることを特徴とする請求項１に記載のロールペーパーホルダー。
【発明の詳細な説明】
【０００１】
【産業上の利用分野】
この発明は、ロールペーパーホルダーに関するものである。
【０００２】
【従来の技術及びその課題】
従来、ロールペーパーホルダーには、ロールペーパーの芯孔内に挿入されてロールペーパーを支持する支持アームが両側部に設けられているが、芯無しタイプのロールペーパーを装着しようとする場合には、芯無しロールペーパー用の軸棒を芯無しロールペーパーに挿通させて、軸棒の端部を無理にロールペーパーホルダーに装着して使用しており、その場合に、支持アームが芯無しロールペーパーの側面に干渉して、芯無しロールペーパーからの紙の引き出し性能が悪くなるという問題点があり、また、軸棒を無理に装着しているので軸棒にガタが生じ、紙切板との位置関係がガタついて、引き出した紙を上手に切断することができず、使用勝手が悪いという問題点があった。
【０００３】
【課題を解決するための手段】
本発明は上記従来の問題点に鑑み案出したものであって、芯無しロールペーパーを良好に装着して使用できるロールペーパーホルダーを提供せんことを目的とし、その第１の要旨は、収納凹部内に収納される収納位置から、収納凹部から突出してロールペーパーを支持する使用位置に亘り回動可能な支持アームを備えたロールペーパーホルダーにおいて、前記支持アームの先端には、前記収納位置に保持させるための突起または孔が形成されているとともに、前記収納凹部の上壁面には、前記支持アームの突起または孔が係合される孔または突起が形成されて構成され、前記収納凹部の下部の左側板及び右側板の内側には、芯無しロールペーパーに挿通される軸棒の端部が係入される軸棒用孔が形成されていることである。
また、第２の要旨は、前記収納位置に保持されている前記支持アームを前記使用位置に戻すための、工具掛部あるいはつまみ，押ボタン等が設けられていることである。
【０００４】
【実施例】
以下、本発明の実施例を図面に基づいて説明する。
図１は、第１実施例のロールペーパーホルダーの斜視構成図であり、ロールペーパーホルダー１は、左側板２と右側板３が、背板４で連結されて前方側へ突出されて、上方には上下方向に開閉可能に紙切板５が配設されており、左側板２及び右側板３の内側にはそれぞれ支持アーム７が設けられて、この支持アーム７は、各側板２，３の内壁面に凹み状に形成された収納凹部２ａ内に収納可能に構成され、収納凹部２ａ内に面一状に収納される収納位置から、水平方向に内側へ突出してロールペーパーを支持できる使用位置に亘り、上下方向に回動可能に構成されており、本例では、この支持アーム７の先端に突出状に係止突起７ａが形成され、この係止突起７ａが係入される係止孔２ｂが、前記収納凹部２ａの上面壁に形成されたものとなっている。
【０００５】
前記支持アーム７の係止突起７ａは、例えば図２の断面図で示すように、支持アーム７内にコイルバネ９を有するシリンダケース８を内装させて、このコイルバネ９により支持アーム７の先端の通し孔７ｂを通して係止突起７ａを出没可能に構成しておくことができ、支持アーム７を収納凹部２ａ内に収納させる時に、係止突起７ａがコイルバネ９の付勢力により収納凹部２ａの係止孔２ｂ内に係止されて、支持アーム７は良好に収納凹部２ａ内に係止状態で収納されるものとなる。
【０００６】
また、図３に示すように、係止突起７ａを板バネ１１で出没可能な構造としておくこともでき、支持アーム７内に、板バネ１１と、この板バネ１１を保持する保持板１０を内装させて構成することができる。
【０００７】
さらに、図４の断面図で示すように、支持アーム７の先端に、切込部７ｃを切込み形成して、突出状に係止突起７ａを樹脂等で一体形成させておき、切込部７ｃによりバネ力が付与されて、係止突起７ａがバネ力により伸縮できるように構成しておくこともできる。
このような構成においても、支持アーム７を収納凹部２ａ内に収納させると、係止突起７ａが係止孔２ｂに係入されて、良好に支持アーム７が係止状態で収納されるものである。
【０００８】
なお、収納凹部２ａ内に収納状態で保持されている支持アーム７を、使用位置へ戻すために、例えば図５に示すように、収納凹部２ａの外周側に凹み状に工具掛部２ｃを形成させておき、この工具掛部２ｃ内に、例えばマイナスドライバー等の工具Ｄの先端を入れることができるように構成しておけば、マイナスドライバー等の工具Ｄを工具掛部２ｃに入れてこじることにより、支持アーム７の係止突起７ａを係止孔２ｂから抜脱させて、支持アーム７を使用位置に戻すことができる。
【０００９】
また、図６に示すように、支持アーム７の裏面の下端側に突出状につまみ７ｅを形成させておけば、支持アーム７が収納凹部２ａ内に収納保持された状態において、このつまみ７ｅを指で下方側へ押圧することにより、支持アーム７を回動可能に支持している回動軸Ｍが下方側へ押され、これにより係止突起７ａが係止孔２ｂから外れ、この状態で良好に回動軸Ｍを支点として支持アーム７を水平方向の使用位置に回動させることができるものとなる。
【００１０】
さらに図７に示すように、支持アーム７の裏面の上端側に突出状に引っ掛け爪７ｆを形成させておけば、この引っ掛け爪７ｆを指などで引っ掛けて、支持アーム７を収納凹部２ａから引き出すことができるものとなり、容易に収納位置から使用位置へ戻すことができるものとなる。
【００１１】
さらに図８に示すように、支持アーム７の上部に押ボタン７ｇを設けておき、この押ボタン７ｇを矢印方向に押すことにより、押ボタン７ｇの先端が収納凹部２ａの壁面を押し、これにより支持アーム７を収納凹部２ａから外側へ抜脱させることができるものとなり、収納凹部２ａ内に保持されている収納位置から使用位置へ容易に復帰させることができるものとなる。
【００１２】
なお、図９に示すように、支持アーム７そのものが伸縮できるような構造に構成することもでき、図９では、支持アーム７のガイド筒体７１内にバネ１２を内装させておき、このバネ１２により、ガイド筒体７１に対しアーム体７２が伸縮でき、アーム体７２の先端に係止突起部７ａを形成させて、支持アーム７を収納凹部２ａ内に収納させる時には、アーム体７２をガイド筒体７１内に押し込んで、この状態で係止突起部７ａを係止孔２ｂ内に係入させて、支持アーム７を良好に収納凹部２ａ内に収納させることができるものとなる。
【００１３】
また、図１０は第２実施例を示すものであり、図１０では、支持アーム７の前後の側面に、横方向に突出して係止突起７ａ，７ａを形成させ、一方、収納凹部２ａには、その前後方向の側壁面にそれぞれ係止突起７ａの係入する係止孔２ｂ，２ｂを形成させたものである。
【００１４】
例えば図１１の断面図で示すように、菱形状の樹脂バネ１３を用いて、この樹脂バネ１３の前後両端側に係止突起７ａ，７ａを一体形成させておき、支持アーム７の前後の側面に形成した通し孔７ｂ，７ｂにそれぞれ係止突起７ａ，７ａを通して配置させておけば、支持アーム７を収納凹部２ａ内に押し込んで収納させる時に、樹脂バネ１３のバネ力により係止突起７ａ，７ａが縮み、さらに係止孔２ｂ，２ｂ内に良好に係止突起７ａ，７ａが係入して、良好に収納凹部２ａ内に支持アーム７が収納保持されるものとなる。
【００１５】
また、図１２に示すように、コイルバネ９を内装したシリンダケース８を横方向にして支持アーム７内に内装させて、前後端から係止突起７ａ，７ａを突出させて、コイルバネ９により係止突起７ａ，７ａが出没できるように構成しておくこともできる。
【００１６】
このように第１実施例または第２実施例で示すように、支持アーム７が収納凹部２ａ内に収納された時には、良好に係止突起７ａと係止孔２ｂとの係合により、支持アーム７が収納凹部２ａ内に収納状態を維持することができるために、芯無しロールペーパーを使用する際には、支持アーム７を邪魔にならない位置、即ち収納凹部２ａ内に収納させることができ、そして、本件出願の発明においては、第１実施例及び第２実施例で示されたものにおいて、図１３に示すように、収納凹部２ａの下部の左側板２及び右側板３の内側に軸棒用孔１４を凹み状に形成させておき、この軸棒用孔１４には  軸棒１５の端部が係入できるように予め構成しておくことにより、芯無しロールペーパーを使用する場合には、芯無しロールペーパーの中心部に細い軸棒１５を挿通させて、軸棒１５の両端側を軸棒用孔１４に係入させて、良好に芯無しロールペーパーをロールペーパーホルダー１に装着させて使用することができ、その場合に支持アーム７は収納凹部２ａ内に収納されているため、芯無しロールペーパーの側面に倒れ込んで邪魔することがなく、芯無しロールペーパーから軽く良好に紙を引き出して使用することができるものとなる。
【００１７】
なお、通常の芯有りロールペーパーを使用する場合には、収納凹部２ａから支持アーム７を水平方向に内側へ突出させて、この支持アーム７をロールペーパーの芯孔内に挿入させて、芯有りロールペーパーを支持させて使用することができるものである。
なお、このような構造では、既存のロールペーパーホルダーに対し、収納凹部２ａに係止孔２ｂを形成させ、かつ支持アーム７に係止突起７ａを形成させれば、芯無しロールペーパーも芯有りロールペーパーも両方快適に使用できるロールペーパーホルダーにすることができ、既存のロールペーパーホルダーから、僅かな設計変更で大きなコストを掛けることなく製作することができるものとなる。
【００１８】
【発明の効果】
本発明は、収納凹部内に収納される収納位置から、収納凹部から突出してロールペーパーを支持する使用位置に亘り回動可能な支持アームを備えたロールペーパーホルダーにおいて、前記支持アームの先端には、前記収納位置に保持させるための突起または孔が形成されているとともに、前記収納凹部の上壁面には、前記支持アームの突起または孔が係合される孔または突起が形成されて構成され、前記収納凹部の下部の左側板及び右側板の内側には、芯無しロールペーパーに挿通される軸棒の端部が係入される軸棒用孔が形成されていることにより、通常の芯有りロールペーパーを使用する場合は、支持アームにロールペーパーを支持させて良好に使用することができ、一方、芯無しロールペーパーを使用する場合には、支持アームを収納凹部内に確実に収納させて保持させておき、芯無しロールペーパーの側面に支持アームが干渉することのない状態としておくことができて、芯無しロールペーパーを支持する軸棒を確実に軸棒用孔に係入させて、軸棒がガタつくことなく、また紙切板との位置関係を正常なものとして、良好に芯無しロールペーパーを装着して使用することができる効果を有する。
【００１９】
また、収納位置に保持されている支持アームを使用位置に戻すための、工具掛部あるいはつまみ，押ボタン等が設けられていることにより、工具掛部に工具を掛けるか、あるいは、つまみまたは押ボタン等を押圧操作して、収納凹部内に収納保持されている支持アームを容易に使用位置に戻すことができ、使用勝手が良好化する効果を有する。
【図面の簡単な説明】
【図１】  第１実施例のロールペーパーホルダーの斜視構成図である。
【図２】  図１における支持アームの断面構成図である。
【図３】  異なる構造の支持アームの断面構成図である。
【図４】  さらに異なる支持アームの断面構成図である。
【図５】  収納凹部に、支持アームを引き出すために工具を掛けることのできる工具掛部を形成した要部拡大斜視構成図である。
【図６】  支持アームに、使用位置に戻すために操作するつまみを設けた側面構成図である。
【図７】  支持アームに、使用位置へ戻す時に引き出し操作できる引っ掛け爪を形成させた側面構成図である。
【図８】  さらに支持アームに押ボタンを設けた側面構成図である。
【図９】  支持アームそのものを伸縮可能に構成した断面構成図である。
【図１０】  第２実施例のロールペーパーホルダーの斜視構成図である。
【図１１】  図１０における支持アームの断面構成図である。
【図１２】  異なる構造の支持アームの断面構成図である。
【図１３】  ペーパーホルダーに、芯無しロールペーパー用の軸棒の端部を係入させる軸棒用孔を形成させた斜視構成図である。
【符号の説明】
１  ロールペーパーホルダー
２  左側板
２ａ  収納凹部
２ｂ  係止孔
２ｃ  工具掛部
３  右側板
５  紙切板
７  支持アーム
７ａ  係止突起
７ｂ  通し孔
７ｃ  切込み
７ｅ  つまみ
７ｆ  引っ掛け爪
７ｇ  押ボタン
８  シリンダケース
９  コイルバネ
１１  板バネ
１２  バネ
１３  樹脂バネ
１４  軸棒用孔
１５  軸棒
７１  ガイド筒体
７２  アーム体
Ｄ  工具
Ｍ  回動軸
【図１】
0003882159.tif 000002
【図２】
0003882159.tif 000003
【図３】
0003882159.tif 000004
【図４】
0003882159.tif 000005
【図５】
0003882159.tif 000006
【図６】
0003882159.tif 000007
【図７】
0003882159.tif 000008
【図８】
0003882159.tif 000009
【図９】
0003882159.tif 000010
【図１０】
0003882159.tif 000011
【図１１】
0003882159.tif 000012
【図１２】
0003882159.tif 000013
【図１３】
0003882159.tif 000014